(57)【要約】【課題】キャビネット本体の小型化を図ることができる上、充電作業時にケーブルの余長部分が邪魔になったりしない充電キャビネットにおける保護装置の保持構造を提供する。【解決手段】キャビネット本体３の下面に被掛止金具１５を設ける一方、保護装置３０を収納可能な保持金具２０に掛止片２３を設けており、保護装置３０が収納された状態にある保持金具２０の掛止片２３を被掛止金具１５へ掛止することにより、保護装置３０をキャビネット本体３の下方で保持可能とした。このように保護装置３０をキャビネット本体３の外部で保持することができるため、キャビネット本体３の内部に保護装置３０を保持するためのスペースを確保する必要がなく、キャビネット本体３の小型化を図ることができる。【選択図】図１
2012100387.tif 000002
【特許請求の範囲】
【請求項１】
箱状のキャビネット本体内に電気自動車を充電するための充電コンセントが備えられた電気自動車用充電キャビネットにおいて、前記電気自動車と前記充電コンセントとを接続するケーブルに設けられた漏電遮断リレー収納ボックスを保持するための保持構造であって、
前記漏電遮断リレー収納ボックスを収納可能な保持部材を設けるとともに、前記保持部材に掛止部を備える一方、
前記キャビネット本体の外部に、前記掛止部を着脱自在に掛止可能な被掛止部を設けたことを特徴とする電気自動車用充電キャビネットにおける漏電遮断リレー収納ボックスの保持構造。
【請求項２】
前記保持部材に、前記ケーブルの余長部分を束ねるためのケーブルガイドを設け、前記ケーブルガイドにより束ねた前記ケーブルの余長部分を、前記保持部材と共に前記被掛止部へ掛止可能としたことを特徴とする請求項１に記載の電気自動車用充電キャビネットにおける漏電遮断リレー収納ボックスの保持構造。
【請求項３】
前記被掛止部が、前記キャビネット本体の下面に設けられた金属製の棒状部材で、前記棒状部材を折り曲げることにより、前記キャビネット本体の下面から下方へ突出する一対の脚部と、前方へ張り出す略Ｕ字状に形成され、前記脚部間をつなぐ保持部とを設けたものであることを特徴とする請求項１又は２に記載の電気自動車用充電キャビネットにおける漏電遮断リレー収納ボックスの保持構造。
【発明の詳細な説明】
【技術分野】
【０００１】
本発明は、電気自動車に充電するために設置される電気自動車用充電キャビネット（以下、充電キャビネットと称す）において、電気自動車と充電キャビネットに設けられた充電コンセントとを接続するためのケーブルに設けられた漏電遮断リレー収納ボックス（以下、保護装置と称す）を保持するための構造に関するものである。
【背景技術】
【０００２】
電気自動車に充電するためには、車載のバッテリーと充電キャビネットに設けられた充電コンセントとをケーブルで接続する必要がある。そして、このケーブルには、人体の保護を目的とした漏電遮断機能を有する保護装置が備えられている。該保護装置は、充電コンセントに差し込むためのプラグの近傍に備えられていることが多いため、充電中は充電コンセントとプラグとの接続部分から垂れ下がった状態となっていた。したがって、プラグに対し、充電コンセントから抜ける側へ負荷がかかってしまうという問題があった。そこで、特許文献１に記載されているような充電キャビネットが考案されている。つまり、保護装置を保持可能な保持部材を充電キャビネットのキャビネット本体内に設け、充電中等には当該保持部材に保護装置を保持させることにより、上記問題の解決を図っている。
【先行技術文献】
【特許文献】
【０００３】
【特許文献１】特開２０１０−４１７７９号公報
【発明の概要】
【発明が解決しようとする課題】
【０００４】
しかしながら、上記特許文献１の充電キャビネットはあくまでキャビネット本体内で保護装置を保持するため、キャビネット本体内に保護装置を保持するためのスペースを確保しなければならない。したがって、キャビネット本体が大型化してしまうという問題がある。また、充電作業時にケーブルの余長部分が邪魔となり、充電作業が煩わしくなるといった問題もあり、当該問題の解決も望まれている。
【０００５】
そこで、本発明は、上記問題に鑑みなされたものであって、キャビネット本体の小型化を図ることができる上、充電作業時にケーブルの余長部分が邪魔になったりしない充電キャビネットにおける保護装置の保持構造を提供しようとするものである。
【課題を解決するための手段】
【０００６】
上記目的を達成するために、本発明のうち請求項１に記載の発明は、箱状のキャビネット本体内に電気自動車を充電するための充電コンセントが備えられた電気自動車用充電キャビネットにおいて、前記電気自動車と前記充電コンセントとを接続するケーブルに設けられた漏電遮断リレー収納ボックスを保持するための保持構造であって、前記漏電遮断リレー収納ボックスを収納可能な保持部材を設けるとともに、前記保持部材に掛止部を備える一方、前記キャビネット本体の外部に、前記掛止部を掛止可能な被掛止部を設けたことを特徴とする。
請求項２に記載の発明は、請求項１に記載の発明において、前記保持部材に、前記ケーブルの余長部分を束ねるためのケーブルガイドを設け、前記ケーブルガイドにより束ねた前記ケーブルの余長部分を、前記保持部材と共に前記被掛止部へ掛止可能としたことを特徴とする。
請求項３に記載の発明は、請求項１又は２に記載の発明において、前記被掛止部が、前記キャビネット本体の下面に設けられた金属製の棒状部材で、前記棒状部材を折り曲げることにより、前記キャビネット本体の下面から下方へ突出する一対の脚部と、前方へ張り出す略Ｕ字状に形成され、前記脚部間をつなぐ保持部とを設けたものであることを特徴とする。
【発明の効果】
【０００７】
本発明によれば、漏電遮断リレー収納ボックスを収納可能な保持部材を設けるとともに、保持部材に掛止部を備える一方、キャビネット本体の外部に、掛止部を掛止可能な被掛止部を設けている。したがって、漏電遮断リレー収納ボックスをキャビネット本体の外部で保持することができるため、キャビネット本体の内部に保護装置を保持するためのスペースを確保する必要がなく、キャビネット本体の小型化を図ることができる。
また、請求項２に記載の発明によれば、保持部材に、ケーブルの余長部分を束ねるためのケーブルガイドを設け、ケーブルガイドにより束ねたケーブルの余長部分を、保持部材と共に被掛止部へ掛止可能としているため、充電作業時にケーブルの余長部分が邪魔になったりせず、使用者が充電作業をスムーズに行うことができる。
さらに、請求項３に記載の発明によれば、被掛止部が、キャビネット本体の下面に設けられた金属製の棒状部材で、棒状部材を折り曲げることにより、キャビネット本体の下面から下方へ突出する一対の脚部と、前方へ張り出す略Ｕ字状に形成され、脚部間をつなぐ保持部とを設けたものであるため、保護装置を保持するための機構を簡易に構成することができ、低コスト化を図ることができる。
【図面の簡単な説明】
【０００８】
【図１】ケーブルが接続された状態にある充電キャビネットを前方から示した斜視説明図である。
【図２】ケーブルが接続された状態にある充電キャビネットを後方から示した斜視説明図である。
【図３】ケーブルを取り外した状態にある充電キャビネットを前方から示した斜視説明図である。
【図４】保持金具を前方から示した斜視説明図である。
【図５】保持金具を後方から示した斜視説明図である。
【図６】保持金具を掛止金具に取り付けた状態を示した斜視説明図である。
【発明を実施するための形態】
【０００９】
以下、本発明の一実施形態となる充電キャビネットにおける保護装置の保持構造について、図面にもとづき詳細に説明する。
【００１０】
図１は、ケーブル２が接続された状態にある充電キャビネット１を前方から示した斜視説明図であり、図２は、同状態にある充電キャビネット１を後方から示した斜視説明図である。図３は、ケーブル２を取り外した状態にある充電キャビネット１を前方から示した斜視説明図である。
充電キャビネット１は、壁面等に設置されて図示しない電気自動車に充電するためのものであって、前面に開口する箱状のキャビネット本体３と、キャビネット本体３の前面左側に上下方向を軸として蝶着されており、キャビネット本体３の前面開口を開閉する扉体４とを備えてなる。キャビネット本体３内には、ケーブル２の一端に設けられた電源プラグ５を接続可能な充電コンセント６、ケーブル２の他端に設けられた充電コネクタ７を掛止状態で保持するためのコネクタ保持部８等が内蔵されている。また、キャビネット本体３の開口の左右側縁及び上縁に沿っては水切り部９が設けられている。一方、扉体４の後面の左右側縁部及び上縁部には、扉体４を閉塞した際、水切り部９の前面に密着して雨水等のキャビネット本体３内への浸入を防止するためのシール部材１０が貼着されている。また、扉体４の後面の下縁部には、扉体４を閉塞した際、キャビネット本体３側に備えられたパッキン部材１１、１２に密着するパッキン部材１３、１４が貼着されている。そして、キャビネット本体３の下面には、本発明の要部となる被掛止金具１５が設けられている。
【００１１】
該被掛止金具１５は、一本の金属製の棒状部材を折り曲げてなるもので、キャビネット本体３の下面から下方へ突出する一対の脚部１５ａ、１５ａと、前方へ張り出す略Ｕ字状に形成され、脚部１５ａ、１５ａ間をつなぐ保持部１５ｂとからなり、保持部１５ｂとキャビネット本体３の下面との間には、後述するようにしてケーブル２の余長部分を掛止するための空間が設けられている。
【００１２】
一方、本発明の他の要部となる保持金具２０について、図４〜図６にもとづき説明する。図４は、保持金具２０を前方から示した斜視説明図であり、図５は、保持金具２０を後方から示した斜視説明図である。図６は、保持金具２０を被掛止金具１５に取り付けた状態を示した斜視説明図である。
【００１３】
保持金具２０は、金属製の板状部材をコ字状に折り曲げてなるもので、背部２０ａの下縁には、一対の側部２０ｂ、２０ｂ間へ上方から挿入された保護装置３０（図１に示す）を、該収納状態で支持するための第一支持リブ２１が折り曲げ形成されている。また、各側部２０ｂの前縁に沿っては、収納状態にある保護装置３０の前方への抜けを阻止するための第二支持リブ２２が夫々内側へ向かって折り曲げ形成されている。一方、背部２０ａの後面で、右側上縁には、図６に示す如く被掛止金具１５へ掛止するための側面視略Ｌ字状の掛止片２３が後方へ突設されているとともに、左側には、２つのケーブルガイド２４、２４が上下に設けられている。尚、２５は、重量を軽減するため、背部２０ａや側部２０ｂに設けられた開口部である。
【００１４】
ここで、保持金具２０を用いた保護装置３０の充電キャビネット１での保持、及びケーブル２の余長部分の収納について説明する。
充電キャビネット１を用いて電気自動車用を充電するにあたっては、ケーブル２の電源プラグ５を充電コンセント６に接続するとともに、充電コネクタ７を図示しない車載のバッテリーに接続する。このとき電源プラグ５の近傍に設けられている保護装置３０は、上述したように保持金具２０へ収納する。そして、保護装置３０が収納された状態にある保持金具２０を、掛止片２３を被掛止金具１５の保持部１５ｂに掛止させて充電キャビネット１に保持させる。また、保護装置３０と充電コネクタ７との間のケーブル２の余長部分に関しては、ケーブルガイド２４、２４に挿通させながら円形に束ねた後、被掛止金具１５に引っ掛けておけば、充電キャビネット１の下方に収納することができる。
【００１５】
以上のような構成を有する充電キャビネット１における保護装置３０の保持構造によれば、キャビネット本体３の下面に被掛止金具１５を設ける一方、保護装置３０を収納可能な保持金具２０に掛止片２３を設けており、保護装置３０が収納された状態にある保持金具２０の掛止片２３を被掛止金具１５へ掛止することにより、保護装置３０をキャビネット本体３の下方で保持可能とした。このように保護装置３０をキャビネット本体３の外部で保持することができるため、キャビネット本体３の内部に保護装置３０を保持するためのスペースを確保する必要がなく、キャビネット本体３の小型化を図ることができる。
【００１６】
また、保持金具２０にケーブルガイド２４、２４を設けており、ケーブル２の余長部分については、ケーブルガイド２４、２４を利用して束ねた後、被掛止金具１５へ引っ掛けておけば、キャビネット本体３の下方に収納することができる。したがって、充電作業時にケーブル２の余長部分が邪魔になったりせず、使用者が充電作業をスムーズに行うことができる。
さらに、被掛止金具１５が、キャビネット本体３の下面に設けられた金属製の棒状部材で、棒状部材を折り曲げることにより、キャビネット本体３の下面から下方へ突出する一対の脚部１５ａ、１５ａと、前方へ張り出す略Ｕ字状に形成され、脚部１５ａ、１５ａ間をつなぐ保持部１５ｂとを設けたものであるため、保護装置３０を保持するための機構を簡易に構成することができ、低コスト化を図ることができる。
【００１７】
なお、本発明に係る充電キャビネットにおける保護装置の保持構造は、上記実施形態の態様に何ら限定されるものではなく、充電キャビネットの構成や保持部材の構成等について、本発明の趣旨を逸脱しない範囲で、必要に応じて適宜変更することができる。
【００１８】
たとえば、上記実施形態では、保持部材を、金属板を折り曲げてなる保持金具２２としているが合成樹脂製の箱体を保持部材として採用してもよいし、保持部材にケーブルガイドを設けるか否かについても適宜設計変更可能である。
また、充電キャビネットにおける被掛止部の設置位置についても適宜変更可能であって、充電キャビネットの側面に設けても何ら問題はないし、被掛止部をキャビネット本体の下面と側面との２箇所に設け、どちらの被掛止部を使用するか使用者に選択させるようにしてもよい。尚、被掛止部の素材が金属製に限定されないことは言うまでもない。
加えて、保持部材にケーブルガイドを設けるにあたり、３つ以上設けても何ら問題はないし、形状や設置位置についても上記実施形態の構成に何ら限定されることはない。
【符号の説明】
【００１９】
１・・充電キャビネット（電気自動車用充電キャビネット）、２・・ケーブル、３・・キャビネット本体、４・・扉体、６・・充電コンセント、１５・・被掛止金具（被掛止部）、１５ａ・・脚部、１５ｂ・・保持部、２０・・保持金具（保持部材）、２１・・第一支持リブ、２２・・第二支持リブ、２３・・掛止片、２４・・ケーブルガイド、３０・・保護装置（漏電遮断リレー収納ボックス）。
【図１】
2012100387.tif 000003
【図２】
2012100387.tif 000004
【図３】
2012100387.tif 000005
【図４】
2012100387.tif 000006
【図５】
2012100387.tif 000007
【図６】
2012100387.tif 000008